(57)【要約】      （修正有）【課題】基材の一部に磁気記録層を配置すると共に、さらにその他の部分にはＩＣタグを配置する。【解決手段】磁気によるデータの書き込みや読み出しが可能な磁気記録層３と電磁波によるデータの書き込みや読み出しが可能なＩＣタグ４を具備しており、既存の磁気カードシステムにおける設備に利用可能な磁気カードとしての機能を有する共に、磁気情報の読み取りや書き込みに際し、ＩＣタグ４の応答等の有無による正当性の確認も同時にできるようにする。【選択図】図１
2005222277.tif 000002
【特許請求の範囲】
【請求項１】
基材の一部に磁気記録層が配置されていると共に、さらに該磁気記録層の位置に対してズレたその他の位置の一部には非接触で通信を行うＩＣタグが配置されていることを特徴とする情報記録媒体。
【請求項２】
基材の一部には磁気記録層が配置されていると共に、該基材の厚み方向で該磁気記録層の下部には非接触で通信を行うＩＣタグが埋もれて配置されていることを特徴とする情報記録媒体。
【請求項３】
基材の一方の面側には磁気記録層が配置されていると共に、他方の面側には非接触で通信を行うＩＣタグが配置されていることを特徴とする情報記録媒体。
【請求項４】
前記基材は、少なくとも基材シートの両面にカバーシートが積層されてなるものであり、前記磁気記録層は該基材を構成する基材シートまたはカバーシートの一部に配置されていることを特徴とする請求項１乃至３のいずれかに記載の情報記録媒体。
【請求項５】
前記ＩＣタグは、外部との通信が可能な入出力手段と情報処理を行うＩＣチップとを備えていることを特徴とする請求項１乃至３のいずれかに記載の情報記録媒体。
【請求項６】
前記磁気記録層と前記ＩＣタグには、共通する情報が記録されていることを特徴とする請求項１乃至３のいずれかに記載の情報記録媒体。
【請求項７】
前記ＩＣタグは外部から目視不能に隠蔽されていることを特徴とする請求項１乃至３のいずれかに記載の情報記録媒体。
【請求項８】
前記基材が、透明または半透明であり、かつ赤外線吸収材料を含む樹脂からなることを特徴とする請求項１乃至３のいずれかに記載の情報記録媒体。
【請求項９】
前記基材が、透明または半透明であり、赤外線吸収材料を含む樹脂シートまたは赤外線吸収材料を含む赤外線吸収層が積層されたものであることを特徴とする請求項１乃至３のいずれかに記載の情報記録媒体。
【請求項１０】
外部との通信が可能な入出力手段と、該入出力手段を介して得られた外部情報に基づき情報処理を行うＩＣチップとを有するＩＣモジュールを備えていることを特徴とする請求項１乃至３のいずれかに記載の情報記録媒体。
【発明の詳細な説明】
【技術分野】
【０００１】
本発明は、磁気によるデータの書き込みや読み出しが可能な磁気記録層と電磁波によるデータの書き込みや読み出しが可能なＩＣタグを内部に具備してなる情報記録媒体に関する。本発明の情報記録媒体の代表的形態は、カード状のものであるが、他に短冊状、名刺状、荷札状、冊子状、アクセサリー状等、様々である。
【背景技術】
【０００２】
現在、取引情報や顧客情報の電子化に伴ない、金融業・流通業・小売業・交通機関などにおける顧客取引の際に使用される情報媒体として、ストライプ状または全面に磁気記録層をカード基体に設けてなる磁気カードが広く利用されており、例えばキャッシュカード、クレジットカード、ＩＤカード、メンバーズカードやプリペイドカード、ポイントカード、定期券などとして採用されている。
【０００３】
磁気カードは構造が簡単でかつ安価に調達が可能であり、また磁気情報の書き込みや読み出しのための装置（例えば、磁気カードリーダライタなど）も構造が簡単でかつ安価に調達が可能であることから、取引情報などの電子化に伴い、その取引に参加するための手段として多用されている。
【０００４】
ところで、磁気を利用した情報の保持は、安価でかつ容易に行える一方、記録容量の少なさ（磁気ストライプの場合で６０〜７２バイト程度）と、情報内容が比較的容易に複製可能で、保持情報が不正取得され易いという問題点などを有しており、記録量の大容量化やセイキュリティを重視する分野では最近、磁気カードに代わってＩＣを利用して情報保持を行うようにしたＩＣカードの採用が進んでいる。
【０００５】
しかしながら、ＩＣカードは磁気カードに比べると高価であるため、ＩＣカードほどの高セキュリティ性が求められない場合などには、低コスト性と既に普及したインフラストラクチャーの利用性を前提に、磁気カードシステムの運用を進めようとする場合も多くある。
【０００６】
このような中、磁気カードとＩＣカードとの互換性を持たせ、相互の良さを取り入れるべく、カード基体中に磁気記録層とＩＣモジュールの両方を設けておき、どちらの利用装置においても取り扱えるようにしたカードも存在している。
【０００７】
さらに下記の先行技術文献（特許文献１）に開示されるように、カードに略コの字状の切り込みからなるタグ部を設け、このタグ部を認識することでそのカードが真正品か否かを確認できるようにした磁気カードも提案されている。
【０００８】
一方、ＩＣタグは、電磁波などを利用して特定波長の電磁波に対応して発信する所定の情報を有する小型の通信機器であり、電磁波を利用した非接触による情報通信が可能であることから、物品などにそれを付与し、その物品の管理用途などに使われている。そして、下記の先行技術文献（非特許文献１）に開示されるように、近年ではバーコードの代替として物流、流通を始めとする様々な分野での応用が期待され、種々の実験が行われており、その動向が非常に注目されている。
【非特許文献１】日経エレクトロニクス  ２００２年２月２５日号  Ｐ．１０９〜１３７
【特許文献１】特開平１１−７５１４号公報
【発明の開示】
【発明が解決しようとする課題】
【０００９】
本発明は以上のような状況に鑑みなされたものであって、既存の磁気カードシステムにおける設備に利用可能な磁気カードとしての機能を有する共に、その正当性を確認できる確認手段としてのＩＣタグをも有する情報記録媒体の提供を目的とする。
【課題を解決するための手段】
【００１０】
本発明はかかる課題を解決すべくなされたものであり、請求項１に記載の発明は、基材の一部に磁気記録層が配置されていると共に、さらに該磁気記録層の位置に対してズレたその他の位置の一部には非接触で通信を行うＩＣタグが配置されていることを特徴とする情報記録媒体である。
【００１１】
また、請求項２に記載の発明は、基材の一部には磁気記録層が配置されていると共に、該基材の厚み方向で該磁気記録層の下部には非接触で通信を行うＩＣタグが埋もれて配置されていることを特徴とする情報記録媒体である。
【００１２】
さらにまた、請求項３に記載の発明は、基材の一方の面側には磁気記録層が配置されていると共に、他の面側には非接触で通信を行うＩＣタグが配置されていることを特徴とする情報記録媒体。
【００１３】
さらにまた、請求項４に記載の発明は、請求項１乃至３に記載の情報記録媒体において、前記基材は、少なくとも基材シートの両面にカバーシートが積層されてなるものであり、前記磁気記録層は該基材を構成するカバーシートの一部に配置されていることを特徴とする。
【００１４】
さらにまた、請求項５に記載の発明は、請求項１乃至３に記載の情報記録媒体において、前記ＩＣタグは、外部との通信が可能な入出力手段と情報処理を行うＩＣチップとを備えていることを特徴とする。
【００１５】
さらにまた、請求項６に記載の発明は、請求項１乃至３に記載の情報記録媒体において、前記磁気記録層と前記ＩＣタグには、共通する情報を記録されていることを特徴とする。
【００１６】
さらにまた、請求項７に記載の発明は、請求項１乃至３に記載の情報記録媒体において、前記ＩＣタグは外部から目視不能に隠蔽されていることを特徴とする。
【００１７】
さらにまた、請求項８に記載の発明は、請求項１乃至３に記載の情報記録媒体において、前記基材が、透明または半透明であり、かつ赤外線吸収材料を含む樹脂からなることを特徴とする。
【００１８】
さらにまた、請求項９に記載の発明は、請求項１乃至３に記載の情報記録媒体において、前記基材が、透明または半透明であり、赤外線吸収材料を含む樹脂シートまたは赤外線吸収材料を含む赤外線吸収層が積層されたものであることを特徴とする。
【００１９】
さらにまた、請求項１０に記載の発明は、請求項１乃至３に記載の情報記録媒体において、外部との通信が可能な入出力手段と、該入出力手段を介して得られた外部情報に基づき情報処理を行うＩＣチップとを有するＩＣモジュールを備えていることを特徴とする。
【発明の効果】
【００２０】
本発明によれば、基材の一部に磁気記録層と共にＩＣタグが配置されていることにより、磁気情報の読み取りまたは書き込みに際し、ＩＣタグの応答の有無による正当性の確認
が同時に可能であり、さらにはＩＣタグの有する情報の読み出しまたは情報の書き込みにより、カード等のより高度な認証や情報の蓄積、あるいは利用履歴などの情報の保持が可能となる。
【００２１】
また、磁気記録層の磁気情報の読み取りや書き込み時以外にＩＣタグの機能を単独で利用することも可能であり、ＩＣタグの有する非接触通信機能を利用したＩＤ確認を行うこともできる。
【００２２】
また、ＩＣタグは磁気記録層の磁気情報の読み取りまたは書き込みに際して障害とならない位置に設けることが可能であり、記録媒体内部または記録媒体表面のいずれかに配置することができ、その利用形態に応じて種々の構成をとることができる。
【００２３】
さらに、ＩＣカードとして利用されているＩＣモジュールまたはＩＣインレットをカード内に設けることにより、磁気カード・ＩＣカードの互換性を保持できると共に、ＩＣタグを簡単なＩＤ確認などの用途に利用することも可能であり、利用者は用途に応じて磁気カード・ＩＣカード・ＩＣタグの各機能を適宜選択して利用することが可能となる。
【発明を実施するための最良の形態】
【００２４】
以下、図１〜図１４を参照し、本発明をその代表例であるカード（情報カード）を中心に述べる。図１は、本発明の情報カードの一実施形態を示す概略平面図であり、図２〜図５は、本発明の他の実施形態をそれぞれ示す概略平面図である。また、図６は、図１に示す本発明の情報カードのＬ−Ｌ線における断面部分の磁気記録層とＩＣタグの配置状態を示す概略断面図であり、図７〜図１０は、磁気記録層とＩＣタグのさらに他の配置状態を示す概略断面図であり、図１１は、本発明のさらに他の実施形態を示す概略断面図である。さらに、図１２は、本発明で用いられるＩＣタグの構成の一例を示す概略平面図であり、図１３は、本発明の情報カードにおける磁気記録層とＩＣタグの情報読み取り及び書き込みを行う読取書込装置の構成を説明する説明図である。そして図１４は、本発明のさらに他の例を説明する概略平面図である。なお、図１、２、３、５、１４の概略平面図においては、説明の都合上、本来情報カードに内蔵されて見えないＩＣタグ４の構成ならびにその配置状況が明確となるよう、カード上にあるかの如くに表現している。
【００２５】
本発明の情報カードの基材は、ポリ塩化ビニル、ポリエステル、ポリカーボネート、ポリメタクリル酸メチル、ポリスチレン、ポリエチレンテレフタレート、アクリロニトリルブタジエンスチレンのプラスチック類、紙や合成紙の紙類、或いはそれらを複合してなる部材などにより構成される。その構成は一層構成としてもよく、または二層、或いはそれ以上の積層構成とすることもでき、用途に応じて適宜の層構成とすることができる。図６や図７では、基材シート２ａの両面側にカバーシート２ｂ、２ｃを積層した構成の基材２の例が示してある。さらに図示はしないが、必要に応じて他のシートを積層することも可能である。
【００２６】
上述のように、基材２の構成を基材シート２ａとカバーシート２ｂ、２ｃの積層構成とする場合には、各層は熱融着（熱ラミネート）または接着層を介して積層することができる。なお、情報カードの厚さは、クレジットカードやキャッシュカードなどの用途で要求されるＩＳＯ／ＩＥＣ７８１０、ＪＩＳＸ６３０１の規格から、０．７６±０．０８ｍｍ程度である。
【００２７】
また、基材としては、それを可視光に対して透明または半透明とし、可視光領域の光を透過若しくはほぼ透過させるようにし、赤外線領域で検知するセンサーを有するＡＴＭ（Ａｕｔｏｍａｔｅｄ  Ｔｅｌｌｅｒ’ｓ  Ｍａｃｈｉｎｅ）などの機械ではカードの存在の有無が検知できるようにするため、８００ｎｍ〜１０００ｎｍの赤外線領域に吸収極大
を持ち、可視光領域においては吸収が小さく透明性の高い染料を混合した樹脂材料を使用し、押し出し機によりカード状に押し出して得たものであってもよい。この場合、赤外線吸収材料は、熱分解開始温度が樹脂の押し出し温度よりも高いと共に、耐久性に優れ、分子吸光度が高く、かつ樹脂との相溶性に優れるものを選択する。
【００２８】
また、可視光に対して透明または半透明とし、その上には８００ｎｍ〜１０００ｎｍの赤外線領域に吸収極大を持ち、可視光領域においては吸収が小さく透明性の高い上述と同様の染料を混合してなる樹脂材料を使用し、押し出し機によりシート状に押し出したものを積層してなる基材を用いてもよい。
【００２９】
さらに、８００ｎｍ〜１０００ｎｍの赤外線領域に吸収極大を持ち、可視光領域においては吸収が小さく透明性の高い上述と同様の染料を含有するスクリーンインキを用い、公知の印刷方法によりベタまたは任意のパターンで印刷して赤外線吸収層を表面に形成し、この表裏面に透明のカバーシートを熱融着し、基材としてもよい。
【００３０】
これらの染料としては、例えばシアニン系、フタロシアニン系、ナフタロシアニン系、ナフトキノン系、アントラキノン系、アミニウム系、ジチオール金属錯塩系、ジインモニウム系、トリフェニルメタン系、アズレニウム系、ピリリウム系などが挙げられ、これらの中から一つまたは複数を選択して用いればよい。
【００３１】
また、磁気記録層は、公知の転写法やコーティング法、熱融着法によって形成することができ、厚さは１０〜２０μｍ程度とすることが好ましい。通常、磁気記録層３は、図１や図６などに示すように、基体２の表面の一部にストライプ状に設けらるが、基体の表面の全面に設けることもできる。磁気記録層３の形成材料としては公知の磁性微粒子を樹脂バインダー中に分散させた分散液を用いればよい。
【００３２】
コーティング法によって磁気記録層を形成する場合は、例えばγ−Ｆｅ2Ｏ3、Ｃｏ被着γ−Ｆｅ2Ｏ3、Ｆｅ3Ｏ4、ＣｒＯ2、Ｆｅ、ＦｅＣｒ、Ｆｅ−Ｃｏ、Ｃｏ−Ｃｒ、Ｃｏ−Ｎｉ、ＭｎＡｌ、Ｂａフェライト、Ｓｒフェライトなどの従来公知の磁性微粒子を所望の樹脂に分散してなる分散液を用い、バーコード、ブレードコート、エアナイフコート、グラビアコート、ロールコートなどのソルベントコート法、あるいはスクリーン印刷法により、基材上に塗布し、乾燥すればよい。なお、ここで用いられる樹脂としては、ポリウレタン樹脂、塩化ビニル−酢酸ビニル共重合体、ポリエステル樹脂などが挙げられる。
【００３３】
また、熱融着法によって磁気記録層を形成する場合は、裏面に接着層を有するベースフィルムの表面側に上記の分散液をコーティングして得られる磁気記録層を設けてある磁気テープを用い、基材の所定の位置にその接着層で接着させた後、熱プレス機により基材中に埋設せしめ、基材の表面と磁気テープの磁気記録層面が面一になるようにすればよい。
【００３４】
その他、情報カードの装飾として、通常のインキにより模様、絵柄、図柄などを施してなる印刷層５（図１、２参照。）、或いは着色インキによりベタ印刷を施してなる着色層（図示しない）などを単独で、或いはこれらを積層して設けるようにしてもよい。
【００３５】
またさらに、必要に応じてクレジットカードやキャッシュカードなどの用途で要求されるＩＳＯ／ＩＥＣ７８１０、ＪＩＳＸ６３０１の規格に基づき、カード番号やカード保持者名などの情報をエンボス文字または凸状に文字を樹脂等により形成した立体文字６（図１、２等参照）を設けておいてもよい。
【００３６】
また転写法によって磁気記録層を形成する場合は、磁気記録層を設けた転写箔（図示しない）を用いることができる。転写箔は、例えばベースフィルム上に剥離層、磁気記録層
及び接着剤層を順次積層してなる転写層を形成したものである。
【００３７】
転写箔におけるベースフィルムは、転写層が離型可能となるものであればよく、例えば、寸法安定性、耐熱性、強靱性などを考慮してポリエチレンテレフタレートからなるフィルムが最も好ましいが、これ以外にはポリ塩化ビニル、ポリプロピレン、ポリエチレン、ポリカーボネート、セロファン、ビニロン、アセテート、ナイロン、ポリビニルアルコール、ポリアミド、ポリアミドイミドなどの合成樹脂からなるフィルムや、コンデンサーペーパーなどの紙も使用できる。なお、ベースフィルムの厚さは６〜２５μｍ程度のものが好ましい。
【００３８】
剥離層は、転写箔から転写層を情報カードの基材に転写した後に、被転写側の最表面に位置させ、剥離の際の剥離性、箔切れ性を向上させる目的で設けられるもので、ベースフィルムの材質に応じて既知の各種材料で設けることができる。この剥離層の構成材料としては、例えばポリメタクリル酸エステル樹脂、ポリ塩化ビニル樹脂、セルロース樹脂、シリコーン樹脂、炭化水素を主体とするワックス類、ポリエチレン樹脂、塩化ゴム、カゼイン、各種界面活性剤、金属酸化物などから１種或いは２種以上を選択して混合したものが挙げられ、その剥離力が１〜５ｇ／ｉｎｃｈ（９０°剥離）程度になるように設ける。この剥離層は、公知の塗布法やコーティング法により、ベースフィルム上に形成する。その厚さは剥離性、箔切れなどを考慮すると０．１〜１．０μｍの範囲であることが好ましい。
【００３９】
また、剥離層上の磁気記録層は前記した磁性微粒子を分散した磁性分散液を使用し、公知の塗布法やコーティング法により形成することができる。この磁気記録層の厚さは１０〜２０μｍ程度に形成することが好ましい。
【００４０】
さらにまた、接着剤層は、上記の磁気記録層の上に接着剤を重ねて塗布することにより形成される。接着剤としてはアクリル系、塩化ビニル系、酢酸ビニル系等のヒートシール可能な接着剤が挙げられる。接着剤が磁気記録層との接着性が悪い場合には、磁気記録層の表面にプライマーを塗布して前処理を行っておいてもよい。この時に用いられるプライマーとしては、カップリング剤、キレート剤、イソシアナートなどが挙げられる。
【００４１】
このようにして得られた転写箔の接着剤層側を情報カードを構成する基材の磁気記録層形成側に重ね合わせて加熱加圧した後、ベースフィルムを剥離すると、磁気記録層を有する転写層が基材に転写され、基材上に磁気記録層が形成される。
【００４２】
一方、上記の転写箔の転写層の構成層として設けられる磁気記録層と剥離層の間に装飾層および／またはホログラム層を設けることも可能である。このような構成の転写箔を用いれば、情報カードに磁気記録層とその上面に装飾層及び／またはホログラム層を同時に配置することができる。
【００４３】
また、ホログラム層はホログラム効果を発現するものであれば良く、具体的には公知の反射型レリーフホログラム、回折格子などである。ホログラム層は熱可塑性樹脂、熱硬化性樹脂、電離放射線硬化性樹脂等の各種樹脂材料にホログラムパターンが形成され、これに反射層が形成さたものである。
【００４４】
なお、磁気記録層上に積層されるこれらの層の厚さは１０μｍ以下が好ましく、より好ましくは０．５〜５μｍの範囲である。
【００４５】
一方、本発明を構成するＩＣタグは、応答器とも称され、アンテナを入出力手段として非接触状態で通信を行い、外部の質問器（スキャナー）から送出される電磁波（搬送波）
から信号とその一部を整流しＩＣチップの動作用電源を再生する。これによりＩＣチップのメモリに情報を書き込んだり、また書き込まれた情報を読み出すことができる。このようなＩＣタグは、現在のＩＣカードのように複雑で多機能ではないが、特定の機能に特化させればその範囲内でＩＣカードに対応できるような働きが期待され、しかも構造が簡単で安価に提供できる。例えば、磁気カードのセキュリティを保持させる目的で、真正な磁気カードであることを証明できる情報を読み出し可能に保持する程度の機能であればＩＣタグで十分である。
【００４６】
ところで、ＩＣタグは信号を送出する搬送波の発振器を有しておらず、アンテナから取り入れた電磁波を変調し、ＩＣチップ内のメモリに書き込まれている情報の信号を反射することによって質問器に情報を送出している。アンテナは、使用する周波数帯によって形状が異なる。現在主流の短波帯域（１３．５６ＭＨｚなど）では、コイルアンテナが主流であり、ＵＨＦ帯域（９００ＭＨｚ）からマイクロ波帯域（２．４５ＧＨｚ〜）では、ダイポールアンテナ、矩形コイル状アンテナ、モノポールアンテナ、ループアンテナ、スロットアンテナ、マイクロストリップアンテナなどが用いられている。
【００４７】
さらにＩＣタグは、質問器から受信した信号から情報を得るために伝送信号を基底帯域信号に変換する復調回路と、クロックとＩＣタグからの情報を送信するために基底帯域信号を伝送信号に変換する変調回路とを有する。変調方式としては、例えば、キャリア周波数の振幅を変えるＡＳＫ、周波数を変えるＦＳＫ、移送を変えるＰＳＫなどが使用できる。
【００４８】
また、情報を保持するメモリとしてはＭＡＳＫ−ＲＯＭ、ＰＲＯＭ、ＲＡＭ、ＦＲＡＭ、ＥＥＰＲＯＭ及び／またはＥＰＲＯＭなどの中から適宜のものを選択して用いればよい。
【００４９】
さらにまた、ＩＣタグには、図１２の（ａ）に示すように基板１２にアンテナ１３とＩＣ（Ｉｎｔｅｇｒａｔｅｄ  Ｃｉｒｃｕｉｔ）チップとを電気的に接続して実装するインレットと称される外部アンテナ型ＩＣタグ７や、また（ｂ）に示すようにアンテナをＩＣチップ上に設け、樹脂等により封止したコイルオンチップ型と称される内部アンテナ型ＩＣタグ８のなどがあるが、情報カードにはその使用形態に応じて種々のタイプの中から適宜のものを選択して用いればよい。サイズは、インレット形態の場合は縦５〜１００ｍｍ、横１０〜２５０ｍｍ、厚さ１５０〜６００μｍの範囲であり、コイルオンチップ型ＩＣチップ形態の場合は、縦０．３〜２．０ｍｍ、横０．３〜２．０ｍｍ、厚さ１００〜４００μｍの範囲である。ＩＣタグには電源として小型バッテリーを内蔵することも可能であるが、バッテリーの劣化による障害回避やＩＣチップを小型化するためにはバッテリーレスとすることが好ましい。
【００５０】
次にこのようなＩＣタグを、図１２の（ａ）に示すＩＣタグ７を参照してさらに詳しく説明する。基板１２は主に絶縁性の樹脂シートからなる。具体的には、通常のプリント配線板に用いられるガラスエポキシ樹脂や、フレキシブルプリント配線板に用いられるポリイミド（ＰＩ）やポリエチレンテレフタレート（ＰＥＴ）などからなる樹脂シートを用いることができる。他にも、ポリ塩化ビニル（ＰＶＣ）やアクリルニトリルブタジエンスチレン（ＡＢＳ）などの樹脂、またはＡＢＳ樹脂とポリカーボネート（ＰＣ）、ＰＥＴおよびポリアミド（ＰＡ）などを混合した樹脂や、ポリプロピレン（ＰＰ）、ポリエチレンナフタレート（ＰＥＮ）、ポリフェニレンサルファイド（ＰＰＳ）などの樹脂材料で、シート状に形成できるものであれば適用可能である。また、これらの樹脂に酸化チタンや、炭酸カルシウム、ガラス繊維などの無機物を混入してもよい。
【００５１】
この基板１２上にはアンテナ１３が配置されているが、このアンテナ１３の両端には、
それぞれＩＣチップ１５と接続パターン（配線パターン部）１４とが接続されて配置されている。アンテナ１３および接続パターン１４は、導電体パターンであればよく、銅、アルミニウム箔、金などの導電体により形成することができる。アンテナをアルミニウム箔から形成した場合、銅で形成する場合と比較して加工性およびコスト性に優れており、また電気特性についても銅と遜色がないものとなる。
【００５２】
通常は基板１２の片面にアンテナ１３を形成するが、両面に形成する場合には、基板とする樹脂シートの一方の面に形成されたアンテナパターンと、他方の面に形成されたアンテナパターンとを導通させる必要がある。
【００５３】
基板１２へのＩＣチップ１５の実装には、例えばフリップチップボンディング法を用いる。具体的には、基板１２へのＩＣチップの実装部分に接合用樹脂を塗布しておき、この接合用樹脂を硬化させて基板１２とＩＣチップ１５を固着させる。ＩＣチップ１５の下面には、めっき法やスタッドバンプ法などによりバンプが形成されており、このバンプが基板１２の接続パターンにめり込んだ状態で接合されている。これらは直に接合しているため、接合用樹脂として、導電性樹脂に限らず安価な絶縁性の樹脂を用いることもでき、実装時の硬化温度や硬化させる時間、接着強度、耐熱性などの必要とされる条件に合わせて任意にその種類を決定すればよい。例えば、エポキシ樹脂、シリコン樹脂、アクリル樹脂、フェノール樹脂、ポリイミド樹脂、ポリフェニレンサルファイド樹脂などを使用することができる。また、これらの樹脂にフィラーを添加したものを用いてもよい。
【００５４】
なお、接合用樹脂は、上述した絶縁性の樹脂に限らず、異方性導電フィルム（ＡＣＦ）などの導電性を有する樹脂を用いてもよい。ＡＣＦとは、シート状に加工した絶縁樹脂に導電粒子を分散させたものであるが、シート状に加工したもの以外にも液状のものを用いることも可能である。また、樹脂シートが透明性の高いのものであれば、接合用樹脂を紫外線硬化型樹脂とすれば、樹脂シートの裏側から紫外線を照射することにより、接合用樹脂を硬化させることができる。
【００５５】
このような構成のＩＣタグは情報カードを構成する基材に内蔵され、或いは基材上の何れかの部分に貼付されて配置される。好ましくは、例えば、磁気記録層の裏面とか、磁気記録層形成側とは反対側の基材面に位置するように設けると共に、磁気リーダライタの磁気ヘッドの近傍にＩＣタグの情報の書き込みまたは読み出しを行う応答器用アンテナを配置しておけば、特にコイルオンチップ型ＩＣチップのように通信距離の短いＩＣタグを利用しているようなときにも、磁気記録層の磁気情報の書き込みまたは読み出しと同時にＩＣタグの情報の書き込みまたは読み出しを行うことができる。ＩＣタグを配置する位置は、応答器用アンテナがＩＣタグの情報の書き込みまたは読み出しが可能であれば特に限定されることはない。具体的には図１〜図５に示すようにＩＣタグの形式や大きさに応じて、カード内またはカード表面に配置することができる。
【００５６】
上述の如く、本発明の情報カードは、ＩＣタグの形状や大きさの差異はあるものの、磁気記録層と組合せるものであり、ＩＣタグの種類に限定されるものではない。
【００５７】
以下、本発明の情報カードの断面における構成例を図６〜図１２を参照して述べる。
【００５８】
図６に示す情報カード１は、基材２の基材シート２ａ上にＩＣタグ４を配置し、基材シート２ａの上面にストライプ状の磁気記録層３を形成したカバーシート２ｂを、下面にはカバーシート２ｃをそれぞれ積層し、さらに規定の規格寸法に打ち抜いて得られたものである。なお、カバーシート２ｂの積層方法は、熱融着（熱ラミネート）または接着層を介して積層する方法もあるが、その積層方法は、ＩＣタグの熱または衝撃などに対する耐久性に応じて適宜選択される。さらにＩＣタグが脆弱な場合は、基材シート２ａにＩＣタグ
を封入する凹部を予め形成しておき、その凹部にＩＣタグ（必要に応じて接着剤等により固定する）を入れ、予め磁気記録層３を形成したカバーシート２ｂに接着剤を塗布し、接着積層することが好ましい。
【００５９】
これに対して、ＩＣタグ４に温度・圧力に対する耐久性がある場合は、基材シート２ａ上にＩＣタグ４を配置し、その上面と下面ににカバーシート２ｂ、２ｃを位置させてから熱融着により一体化した後、さらにストライプ状の磁気記録層３をカバーシート２ｂに熱転写により設け、しかる後これをカードサイズに打ち抜くことによって得るようにしてもよい。
【００６０】
また、図示はしないが、ＩＣタグの厚さと略同じか、或いはそれより大きい厚さのシートにＩＣタグの形状の抜き穴を設け、その抜き穴にＩＣタグをはめ込み、熱融着または接着により積層する方法もある。
【００６１】
図７に示す情報カード１１は、基材シート２ａとカバーシート２ｂ、２ｃとからなる基材２のカバーシート２ｂ上にストライプ状の磁気記録層３が形成されていて、磁気記録層３の形成されたカバーシート２ｂ側とは反対側のカバーシート２ｃと基材シート２ａとの間にＩＣタグ４が位置するように配置されている。
【００６２】
また、図８に示す情報カード２１は、基材２０が基材シート２ａ、２ａを略同じ厚さで２枚積層したものであり、その重ね合せた面にＩＣタグ４を配置し、基材シート２ａの表面にストライプ状の磁気記録層３を形成したものである。
【００６３】
また、図９に示す情報カード３１は、基材３０が単一の基材シートからなり、その内部にＩＣタグが配置してあり、さらにストライプ状の磁気記録層３を形成したものである。この基材シート３０は、ＩＣタグ４が載置される金型を用いて、金型内に樹脂を射出して一体的に成形して得ることができる。
【００６４】
図１０に示す情報カード４１は、磁気記録層３の形成されたカバーシート４０ｂが基体シート４０ａの一方の面に積層されていて、基材シート４０ａのもう一方の側のカバーシート４０ｃとの間にはＩＣタグ４を埋め込んだ構成となっており、情報カード５１は基材シート５０ａの両側に積層されるカバーシートの内、磁気記録層３の形成されているカバーシート５０ａとは反対側のカバーシート５０ｃにＩＣタグ４を配置した構成となっている。
【００６５】
そして図１１に示す情報カード６１は、一方のカバーシート６０ｂに磁気記録層３とＩＣタグ４（コイルオンチップ型ＩＣタグ）を埋め込んだ構成となっており、情報カード７１は、磁気記録層３が埋め込まれたカバーシート７０ｂの面上にＩＣタグ４を貼付したものである。
【００６６】
以上、本発明の情報カードを断面構成図を用いて説明したが、磁気記録層とＩＣタグの配置関係はこれらのもの限定されるものではなく、磁気記録層の読み取り・書き込みに支障がなければ、ＩＣタグの位置については特に限定されない。なお、詳述しないが、図１４（ａ）〜（ｃ）に示すカードはＩＣカードの機能を付加した本発明に係る情報カードである。これらは接続方式が異なり、（ａ）は接触ＩＣ情報カード８１、（ｂ）は非接触ＩＣ情報カード９１、（ｃ）は接触・非接触共用ＩＣ情報カード１０１である。
【００６７】
接触ＩＣ情報カード８１は、ＩＣチップ（図示しない）を内蔵し、ＩＣチップと外部機器（図示しない）とが接続されていて、通信・電源供給のための外部接続端子２２を有する。また非接触ＩＣ情報カード９１は、基材２５上にＩＣチップ２３が配置され、さらに
それと接続され、外部機器との電磁波を利用した通信と電源供給のためのアンテナ２４を有する。そして接触・非接触共用ＩＣ情報カード１０１は、ＩＣチップ（図示しない）を共用し、両接続方式での利用を可能としている。これらのＩＣ情報カードは公知の作成方法で作ることができ、その製造工程において、ＩＣタグを組み込んで設ければよい。
【００６８】
本発明の情報カードは、例えば図１３に示す概要図のような公知の磁気リーダライタ１６と公知のＩＣタグリーダライタ１７を一体化させた読取書込装置９を使用し、磁気記録層と、ＩＣタグのメモリの情報読み取り、または情報書き込みを同時、或いは個別に行って使用する。この時、本発明の情報カードは、磁気記録層とＩＣタグを備えているので、磁気記録層の磁気情報の読み取りや書き込みを行う際に、偽造や変造、改竄が困難なＩＣタグの情報を確認することで、それが真正か否かを判定でき、カードの信頼性を向上させることが可能となる。
【００６９】
また、本発明の情報カードにおいては、その磁気記録層とＩＣタグにそれぞれ記録される情報を必要に応じて相互に共通な情報とすることができる。そして、磁気記録層に記録される情報を確認する際、ＩＣタグから同じ情報を読み出し、それらを照合し、不一致の場合は、カードに何らかの不正な操作が行われたと判定することができる。記録される情報としては、例えばカード番号やカード固有番号などである。
【００７０】
また、本発明の情報カードは、磁気記録層とＩＣタグの情報の読み取りや書き込みをそれぞれ個別に行うことも可能で、利用者においてはその用途に応じて磁気カード、ＩＣタグ、或いはＩＣカードの各機能を選択して利用することができる。
【００７１】
以下に本発明の情報カードの作成例について具体的に述べる。
【００７２】
まず、厚さ０．６５ｍｍのポリ塩化ビニル（ＰＶＣ）からなる基材シートの一方の面の所定位置に、縦１５ｍｍ×横１５０ｍｍのタグ基板の片面にアンテナと、このアンテナに接続されたＩＣチップを配置してなるＩＣタグを設置した後、基材シートの両面に厚さ０．０５ｍｍのポリ塩化ビニルからなるカバーシート積層し、熱プレス機を用いて加熱加圧し、これらを熱融着させ、ＩＣタグを内蔵した基材を形成する。
【００７３】
次に裏面にはウレタン系の接着層を有するベースフィルムの表面に、磁性微粒子としてγ−Ｆｅ2Ｏ3を、バインダーとしてウレタン樹脂を、溶剤としてはトルエン、メチルエチルケトン、メチルイソブチルケトンをそれぞれ使用してこれら混合・分散してなる分散液を用いてコーティングし、磁気記録層を形成して磁気テープを作成する。
【００７４】
さらに、得られた磁気テープを前記工程で得られた基材の所定の位置に接着層面を接するように重ね合わせて接着させてから、熱プレス機により加熱加圧し、基材に磁気テープを埋設して基材と磁気テープを面一にし、磁気記録層とする。
【００７５】
そして、ＩＣタグと磁気記録層を設けた基材を磁気記録層とＩＣタグが所定の位置関係になるようにカードサイズに打ち抜き、情報カードを得る。
【００７６】
このようにしてえられた情報カードをＩＣタグの情報読み取り用スキャナーを内蔵した磁気カードリーダに通せば、磁気記録層の情報と、ＩＣタグの情報とを読み出すことができる。
【産業上の利用可能性】
【００７７】
本発明の情報記録媒体は、既存の設備に利用可能な磁気カードの機能と、磁気カードそのものの正当性を確認できる確認手段としてＩＣタグを兼ね備えているので、情報記録媒
体の真正さをカード処理端末等で確認することができ、既に普及した低コストのインフラストラクチャーの利用を前提にした磁気カードシステムのセキュリティの向上を図ることができる。したがって、クレジットカードやキャッシュカード、メンバーズカードなどのＩＤカードのように高価なＩＣカードシステムが導入できないところにおいてもその利用が可能となり、クレジットカードなどの分野において幅広い利用が期待される。
【図面の簡単な説明】
【００７８】
【図１】本発明の情報カードの一実施形態を示す概略平面図である。
【図２】本発明の情報カードの他の実施形態を示す概略平面図である。
【図３】本発明の情報カードのさらに他の実施形態を示す概略平面図である。
【図４】本発明の情報カードのさらに他の実施形態を示す概略平面図である。
【図５】本発明の情報カードのさらに他の実施形態を示す概略平面図である。
【図６】図1に示す本発明の情報カードのＬ−Ｌ線における概略断面図である。
【図７】磁気記録層とＩＣタグの配置状況を示す概略断面図である。
【図８】磁気記録層とＩＣタグの配置状況の他の例を示す概略断面図である。
【図９】磁気記録層とＩＣタグの配置状況のさらに他の例を示す概略断面図である。
【図１０】磁気記録層とＩＣタグの配置状況のさらに他の例を示す概略断面図である。
【図１１】本発明の情報カードのさらに他の実施形態を示す概略断面図である。
【図１２】本発明に用いられるＩＣタグの構成の一実施例を示す概略平面図である。
【図１３】本発明の情報カードにおける磁気記録層とＩＣタグの読み取り及び書き込みを行う読取書込装置の構成を説明する説明図である。
【図１４】本発明の情報カードのさらに他の例を示す概略平面図である。
【符号の説明】
【００７９】
１      情報カード
２      基材
２ａ    基材シート
２ｂ    カバーシート
３      磁気記録層
４      ＩＣタグ
５      印刷層
６      エンボス文字または凸状に文字を樹脂等により形成した立体文字
７      外部アンテナ型ＩＣタグ
８      内部アンテナ型ＩＣタグ
１１    情報カード
１２    基板
１３    アンテナ
１４    接続パターン
１５    ＩＣチップ
１６    磁気リーダライタ
１７    ＩＣタグリーダライタ
２１    情報カード
２２    外部接続端子
２３    ＩＣチップ
２４    アンテナ
２５    基板
２６    情報カード
３１    情報カード
４１    情報カード
５１    情報カード
６１    情報カード
７１    情報カード
８１    接触ＩＣ情報カード
９１    非接触ＩＣ情報カード
１０１  接触・非接触共用ＩＣ情報カード
【図１】
2005222277.tif 000003
【図２】
2005222277.tif 000004
【図３】
2005222277.tif 000005
【図４】
2005222277.tif 000006
【図５】
2005222277.tif 000007
【図６】
2005222277.tif 000008
【図７】
2005222277.tif 000009
【図８】
2005222277.tif 000010
【図９】
2005222277.tif 000011
【図１０】
2005222277.tif 000012
【図１１】
2005222277.tif 000013
【図１２】
2005222277.tif 000014
【図１３】
2005222277.tif 000015
【図１４】
2005222277.tif 000016